(57)【特許請求の範囲】
【請求項１】
監視対象となる複数の弁を識別する弁識別情報が記憶された識別情報記憶部と、
入力された取得指示により、前記識別情報記憶部に記憶されている弁識別情報で特定される弁の開度を制御するポジショナに記憶されているパーシャルストロークテストの結果を含む弁情報を前記弁の弁識別情報と共にネットワークを介して取得する取得部と、
前記取得部が取得した弁情報を前記弁識別情報と共に記憶するテスト結果記憶部と、
前記テスト結果記憶部に記憶されているパーシャルストロークテストの結果を含む弁情報を弁識別情報毎に表示部に表示させる表示制御部と、
入力された更新指示により、前記識別情報記憶部に記憶されている弁識別情報で特定される弁の開度を制御するポジショナに記憶されているパーシャルストロークテストの結果に含まれるテスト実施日時が前記取得部で直前に取得を実施した日時より以後となっている弁識別情報を取得する更新部と、
前記更新部が取得した弁識別情報の弁情報が表示されている領域に弁情報の未取得があることを通知するための未取得表示を前記表示部に表示させる未取得表示制御部と
を備えることを特徴とする機器管理装置。
【請求項２】
請求項１記載の機器管理装置において、
前記テスト結果記憶部に記憶されているパーシャルストロークテストの結果が設定されている正常範囲以外となっている弁識別情報を検索する異常検索部と、
前記異常検索部が検索した弁識別情報の弁情報が表示されている領域にアラートが発生していることを示すアラート表示を前記表示部に表示させるアラート表示制御部と
を備えることを特徴とする機器管理装置。
【請求項３】
請求項１または２記載の機器管理装置において、
前記弁情報は、パーシャルストロークテストの実施予定の日時情報を含むことを特徴とする機器管理装置。
【発明の詳細な説明】
【技術分野】
【０００１】
本発明は、プラントなどで用いられるフィールド機器としてのバルブの状態を把握する機器管理装置に関する。
【背景技術】
【０００２】
調節弁やガスガバナなど、プラントにおいては様々な弁（バルブ）が用いられている。また、プラントにおいては、異常が生じたときに安全を確保するために遮断する緊急遮断弁なども用いられている。この緊急遮断弁は、通常時は全開状態で保持されている。このため、仮に緊急遮断弁が固着して緊急時に動作しない状態にあったとしても、緊急遮断弁の固着を検知することは難しい。
【０００３】
上述した弁の故障を検知するために、弁の全閉テストが定期的に実施される。この全閉テストは、プラントを停止して実施することになるために、コストの高騰を招く。これに対し、パーシャルストロークテスト（Partial Stroke Test；ＰＳＴ）は、弁を全閉にせず、プラントの稼働中に少しだけ作動させて初動動作を確認する。ＰＳＴにより全閉テストの間隔を延ばし、保守メンテナンス費用の削減が可能となる（特許文献１，特許文献２，非特許文献１参照）。
【先行技術文献】
【特許文献】
【０００４】
【特許文献１】特開２０１４−１２６９７５号公報
【特許文献２】特開２０１４−１２６９７６号公報
【非特許文献】
【０００５】
【非特許文献１】西田純，“安全計装システムの最新動向〜ＰＳＴソリューションと統合ソリューション”，計装２００６，ｖｏｌ．４９，Ｎｏ．１１，工業技術社，２００６年。
【発明の概要】
【発明が解決しようとする課題】
【０００６】
ところで、上述したＰＳＴは、上位機器である機器管理装置からの指示、調節弁，ガスガバナ，緊急遮断弁などのポジショナに設定されているスケジュールによる起動、もしくは、スイッチなどによる現場からの起動により実施されている。機器管理装置からの指示による起動でＰＳＴを実施した場合、ＰＳＴの結果が機器管理装置において記録され、管理者が認識できる状態となる。これに対し、スケジュールによって起動されたＰＳＴの結果、現場からの起動によって起動されたＰＳＴの結果は、機器管理装置には記録されていない。
【０００７】
このように、機器管理装置に記録されないＰＳＴの結果は、自動的には管理者に認識できないものとなる。機器管理装置に記録されないＰＳＴの結果は、管理者が、機器管理装置を操作してネットワークで接続されている対象となる弁のポジショナに記録されている結果を確認することになる。このため、管理者が、確認対象となる全ての弁（ポジショナ）を把握していない場合、確認漏れが発生する。また、多数の弁に対して上述した確認作業をすることになるため、非常に煩雑であり、確認が容易ではない。
【０００８】
本発明は、以上のような問題点を解消するためになされたものであり、対象とする全てのパーシャルストロークテストの結果が、機器管理装置において容易に確認できるようにすることを目的とする。
【課題を解決するための手段】
【０００９】
本発明に係る機器管理装置は、監視対象となる複数の弁を識別する弁識別情報が記憶された識別情報記憶部と、入力された取得指示により、識別情報記憶部に記憶されている弁識別情報で特定される弁の開度を制御するポジショナに記憶されているパーシャルストロークテストの結果を含む弁情報を弁の弁識別情報と共にネットワークを介して取得する取得部と、取得部が取得した弁情報を弁識別情報と共に記憶するテスト結果記憶部と、テスト結果記憶部に記憶されているパーシャルストロークテストの結果を含む弁情報を弁識別情報毎に表示部に表示させる表示制御部とを備える。
【００１０】
上記機器管理装置において、入力された更新指示により、識別情報記憶部に記憶されている弁識別情報で特定される弁の開度を制御するポジショナに記憶されているパーシャルストロークテストの結果に含まれるテスト実施日時が取得部で直前に取得を実施した日時より以前となっている弁識別情報を取得する更新部と、更新部が取得した弁識別情報の弁情報が表示されている領域に弁情報の未取得があることを通知するための未取得表示を表示部に表示させる未取得表示制御部とを備えるようにしてもよい。
【００１１】
上記機器管理装置において、テスト結果記憶部に記憶されているパーシャルストロークテストの結果が設定されている正常範囲以外となっている弁識別情報を検索する異常検索部と、異常検索部が検索した弁識別情報の弁情報が表示されている領域にアラートが発生していることを示すアラート表示を表示部に表示させるアラート表示制御部とを備えるようにしてもよい。
【００１２】
上記機器管理装置において、弁情報は、パーシャルストロークテストの実施予定の日時情報を含む。
【発明の効果】
【００１３】
以上説明したことにより、本発明によれば、対象とする全てのパーシャルストロークテストの結果が、機器管理装置において容易に確認できるという優れた効果が得られる。
【図面の簡単な説明】
【００１４】
【図１】図１は、本発明の実施の形態における機器管理装置の構成を示す構成図である。
【図２】図２は、本発明の実施の形態における機器管理装置の動作例を説明するためのフローチャートである。
【図３】図３は、表示部１０７における表示例を示す説明図である。
【発明を実施するための形態】
【００１５】
以下、本発明の実施の形態について図を参照して説明する。図１は、本発明の実施の形態における機器管理装置の構成を示す構成図である。この機器管理装置は、識別情報記憶部１０１、取得部１０２、テスト結果記憶部１０３、表示制御部１０４、更新部１０５、未取得表示制御部１０６、表示部１０７、入力部１０８を備える。また、機器管理装置は、異常検索部１０９、アラート表示制御部１１０を備える。また、取得部１０２は、ネットワーク１２１を介し、弁１５１ａのポジショナ１５２ａおよび弁１５１ｂのポジショナ１５２ｂと通信可能に接続されている。
【００１６】
識別情報記憶部１０１は、監視対象となる複数の弁を識別する弁識別情報が記憶されている。識別情報記憶部１０１には、例えば、弁１５１ａおよび弁１５１ｂを識別するための弁識別情報が記憶されている。弁識別情報としてデバイスタグがある。また、この弁識別情報には、各々の弁開度を制御する各ポジショナの情報が付随している。
【００１７】
取得部１０２は、入力部１０８により入力された取得指示により、識別情報記憶部１０１に記憶されている弁識別情報で特定される弁の開度を制御するポジショナに記憶されているパーシャルストロークテストの結果を含む弁情報を、弁の弁識別情報と共にネットワーク１２１を介して取得する。
【００１８】
例えば、弁１５１ａのポジショナ１５２ａに記憶されている弁１５１ａのパーシャルストロークテスト結果、および弁１５１ｂのポジショナ１５２ｂに記憶されている弁１５１ｂのパーシャルストロークテスト結果を取得する。また、ポジショナ１５２ａに記憶（設定）されている弁１５１ａのパーシャルストロークテストの実施予定の日時情報、およびポジショナ１５２ｂに記憶（設定）されている弁１５１ｂのパーシャルストロークテストの実施予定の日時情報を取得する。また、取得部１０２は、ポジショナに記憶されているアラート情報を取得する。
【００１９】
また、取得部１０２は、ポジショナに記憶されているテスト結果の実施日時と、前回取得動作をした日時とを比較し、実施日時が前回の取得日時以後となっている場合、弁情報の取得を実施する。実施日時が前回の取得日時以前の場合、弁情報は取得しない。取得部１０２は、上述した動作を、設定されている周期で自動実施するようにしてもよい。また、取得部１０２は、上述した動作の時期を、パーシャルストロークテストの実施予定の日時情報をもとに決定して実施してもよい。
【００２０】
テスト結果記憶部１０３は、取得部１０２が取得したパーシャルストロークテストの結果を含む弁情報を弁識別情報と共に記憶する。表示制御部１０４は、テスト結果記憶部１０３に記憶されているパーシャルストロークテストの結果を含む弁情報を弁識別情報毎に表示部１０７に表示させる。
【００２１】
更新部１０５は、入力された更新指示により、識別情報記憶部１０１に記憶されている弁識別情報で特定される弁の開度を制御するポジショナに記憶されているパーシャルストロークテストの結果に含まれるテスト実施日時が、取得部１０２が直前に取得を実施した日時より以後となっている弁識別情報を取得する。更新部１０５は、上述した動作を、設定されている周期で自動実施するようにしてもよい。また、更新部１０５は、上述した動作の時期を、パーシャルストロークテストの実施予定の日時情報をもとに決定して実施してもよい。未取得表示制御部１０６は、更新部１０５が取得した弁識別情報の弁情報が表示されている領域に未取得があることを通知するための未取得表示を表示部１０７に表示させる。
【００２２】
異常検索部１０９は、テスト結果記憶部１０３に記憶されている弁情報に含まれているアラート情報の有無を確認する。アラート表示制御部１１０は、異常検索部１０９がアラート情報を確認した弁識別情報の弁情報が表示されている領域にアラートが発生していることを示すアラート表示を表示部１０７に表示させる。また、アラート表示制御部１１０により、アラート表示対象のパーシャルストロークテスト結果を、アラートと共に表示してもよい。
【００２３】
なお、取得部１０２および更新部１０５の動作の自動実施は、これらの動作スケジュールを制御する制御部を別途に設け、上述した自動実施を実現するようにしてもよい。
【００２４】
次に、本発明の実施の形態における機器管理装置の動作例について図２のフローチャートを用いて説明する。
【００２５】
まず、ステップＳ２０１で、更新部１０５が、例えば管理者の操作により、入力部１０８における更新指示を受け付けると（ステップ２０１のｙ）、ステップＳ２０２で、識別情報記憶部１０１に記憶されている弁識別情報で特定される弁の開度を制御するポジショナに記憶されているパーシャルストロークテストの結果に含まれるテスト実施日時が、取得部１０２が直前に取得を実施した日時より以後となっている弁識別情報を取得する。
【００２６】
テスト実施日時が、直前の取得実施した日時より以後となっている弁識別情報が取得されると（ステップ２０２のｙ）、未取得表示制御部１０６は、更新部１０５が取得した弁識別情報の弁情報が表示されている領域に未取得があることを通知するための未取得表示を表示部１０７に表示させる（ステップＳ２０３）。
【００２７】
例えば、図３に示すように、表示部１０７には、識別情報記憶部１０１に記憶されている弁識別情報で特定される弁の弁情報の直前に取得された情報の一覧が表示されている。「デバイスタグ」の項目には、弁識別情報が表示される。「アラート」の項目には、アラート発生状態が表示される。「ＰＳＴ実行日時」の項目には、テスト実施日時が表示される。「次回ＰＳＴスケジュール日時」の項目には、パーシャルストロークテストの実施予定の日時情報が表示される。この中で、上述したように、直前の取得実施した日時より以後となっている弁識別情報の「結果データ」の項目には、弁情報が未取得であることを示す「未取得」が表示される。
【００２８】
次に、ステップＳ２０４で、例えば管理者の操作により、入力部１０８における取得指示を受け付けると（ステップＳ２０４のｙ）、ステップＳ２０５で、取得部１０２が、識別情報記憶部１０１に記憶されている弁識別情報で特定される弁の開度を制御するポジショナに記憶されているパーシャルストロークテストの結果を含む弁情報を、弁の弁識別情報と共にネットワーク１２１を介して取得する。
【００２９】
次に、ステップＳ２０６で、テスト結果記憶部１０３が、取得部１０２により取得されたパーシャルストロークテストの結果を含む弁情報を弁識別情報と共に記憶する。
【００３０】
次に、ステップＳ２０７で、表示制御部１０４が、テスト結果記憶部１０３に記憶されているパーシャルストロークテストの結果を含む弁情報を弁識別情報毎に表示部１０７に表示させる（表示を更新する）。この結果、表示部１０７における表示の中の「結果データ」の項目においては、「未取得」の表示がなくなる。
【００３１】
次に、ステップＳ２０８で、異常検索部１０９が、テスト結果記憶部１０３に記憶されている弁情報に含まれているアラート情報の有無を確認する。次に、弁情報にアラート情報がある場合（ステップＳ２０９のｙ）、ステップＳ２１０で、アラート表示制御部１１０は、異常検索部１０９が確認した弁識別情報の弁情報が表示されている領域にアラートが発生していることを示すアラート表示を表示部１０７に表示させる。例えば、図３に示すように、「アラート」の項目にアラート発生状態が表示される。
【００３２】
なお、上述した機器管理装置は、ＣＰＵ（Central Processing Unit；中央演算処理装置）と主記憶装置と外部記憶装置とネットワーク接続装置となどを備えたコンピュータ機器であり、主記憶装置に展開されたプログラムによりＣＰＵが動作することで、上述した各機能が実現される。また、各機能は、複数のコンピュータ機器に分散させるようにしてもよい。
【００３３】
以上に説明したように、本発明によれば、入力された取得指示により、識別情報記憶部に記憶されている弁識別情報で特定される弁の開度を制御するポジショナに記憶されているパーシャルストロークテストの結果を含む弁情報を、弁の弁識別情報と共にネットワークを介して取得するようにしたので、対象とする全てのパーシャルストロークテストの結果が、機器管理装置において容易に確認できるようになる。
【００３４】
例えば、システム全体の弁において、デバイスでＰＳＴがどのように実行されているか把握することが容易になる。また、プラントの緊急時に動作する緊急遮断弁がどのような状態なのかを一目で把握でき、管理者やオペレータに安心感を与えられる。また、スケジュール機能によるＰＳＴの実行予定や、実行の結果がどのようであったかが、管理者やオペレータにとって把握しやすくなる。複数の弁におけるＰＳＴのスケジュール実行日時が一目でわかり、次回ＰＳＴを実行するタイミングを各弁の間で調整することができる。
【００３５】
なお、発生しているアラートの内容を表示するようにしてもよい。また、記憶しているパーシャルストロークテスト結果などの弁情報を、トレンドグラフなどにより表示するようにしてもよい。
【００３６】
また、機器管理装置において、アラートが発生している弁（ポジショナ）に対してアラート解除の指示が通知できるようにしてもよい。また、このアラート解除の指示通知が、複数の弁に対して実施できるようにしてもよい。また、パーシャルストロークテストのパターン作成および作成したパターンのパーシャルストロークテストが、機器管理装置側から実施できるようにしてもよい。また、機器管理装置から弁（ポジショナ）において実施されるパーシャルストロークテストのパラメータが設定できるようにしてもよい。
【００３７】
また、テスト結果記憶部に記憶されている弁情報におけるパーシャルストロークテストの実施予定の日時情報をもとに、パーシャルストロークテストが実施される直前に、機器管理装置による管理者やオペレータへの通知ができるようにしてもよい。例えば、メールシステムにより通知すればよい。また、テストが実施されたら、当該弁の弁情報を同様に通知してもよい。
【００３８】
また、例えば管理者の操作により、表示部に表示されている実施予定などの表示値を選択し、選択した項目について設定変更できるようにしてもよい。例えば、表示されている実施予定日が重複している場合、この重複が解消できるように、実施予定日が変更できる。このようにして変更した実施予定日などの設定は、機器管理装置が備える設定反映部により、対象となるポジショナ（フィールド機器）に反映される。設定反映部は、設定が変更された弁情報を、関連付けられている弁識別情報で特定される弁のポジショナに反映させる。
【００３９】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００４０】
１０１…識別情報記憶部、１０２…取得部、１０３…テスト結果記憶部、１０４…表示制御部、１０５…更新部、１０６…未取得表示制御部、１０７…表示部、１０８…入力部、１０９…異常検索部、１１０…アラート表示制御部、１２１…ネットワーク、１５１ａ，１５１ｂ…弁、１５２ａ，１５２ｂ…ポジショナ。
【図１】
0006767156.tif 000002
【図２】
0006767156.tif 000003
【図３】
0006767156.tif 000004